(57)【要約】【課題】  側面衝突時のドアから車体側への衝撃伝達力及びドアの車室内部への浸入抑制力を大きくする。【解決手段】  フロントサイドドア１６の内部には、車体前後方向に沿ってインパクトビーム２６が配設されており、インパクトビーム２６の後端部２６Ｂは車体下方側に向かって屈曲されている。インパクトビーム２６の後端部２６Ｂはブラケット３２を介してドアインナパネル３４の後部の段部３４Ａに固定されており、インパクトビーム２６の後端部２６Ｂとセンタピラー３８の閉断面部４４は、車体側面視において重なっている。【選択図】  図１
2005162016.tif 000002
【特許請求の範囲】
【請求項１】
ドア内部に車体前後方向に沿って配設されたインパクトビームの端部が車体側面視において車体のドア開口部の縁部と重なった車両側部構造において、
前記インパクトビームの端部が車体上方と車体下方との何れか一方に屈曲していることを特徴とする車体側部構造。
【発明の詳細な説明】
【技術分野】
【０００１】
本発明は車体側部構造に関し、特に、自動車等の車体においてドアの車室内側方向への移動を防止して乗員を保護するインパクトビームをドア内部に有する車体側部構造に関する。
【背景技術】
【０００２】
従来、自動車の側面に車幅方向外側から荷重が作用した場合に、ドアの車室内側方向への移動を防止して乗員を保護するインパクトビームをドア内部に有する車体側部構造においては、インパクトビームの端部を車幅方向内側へ曲げて荷重伝達部材とすることで、インパクトビームからの荷重を、荷重伝達部材を介して車体のドア開口部の縁部に当接させ、衝突早期に衝撃吸収を開始する構成が知られている（例えば、特許文献１参照）。
【特許文献１】特許第３３４８４８１号公報
【発明の開示】
【発明が解決しようとする課題】
【０００３】
しかしながら、特許文献１では、車体側面視におけるインパクトビームの端部と車体のドア開口部の縁部とのオーバラップ量が少ない。この結果、側面衝突時のドアから車体側への衝撃伝達力が低くなると共に、ドアの車室内部への浸入抑制力が小さくなる。
【０００４】
本発明は上記事実を考慮し、側面衝突時のドアから車体側への衝撃伝達力及びドアの車室内部への浸入抑制力を大きくできる車体側部構造を提供することが目的である。
【課題を解決するための手段】
【０００５】
請求項１記載の本発明は、ドア内部に車体前後方向に沿って配設されたインパクトビームの端部が車体側面視において車体のドア開口部の縁部と重なった車体側部構造において、
前記インパクトビームの端部が車体上方と車体下方との何れか一方に屈曲していることを特徴とする。
【０００６】
従って、側面衝突時に自動車の側面に車幅方向外側から荷重が作用した場合には、この荷重はインパクトビームの長手方向の端部を介して、車体側面視においてインパクトビームの長手方向の端部と重なる車体のドア開口部の縁部に伝達される。この際、インパクトビームの端部が車体上方と車体下方との何れか一方に屈曲しているため、車体側面視においてインパクトビームの端部とドア開口部の縁部との重なり量が大きくなる。この結果、側面衝突時のドアから車体側への衝撃伝達力及びドアの車室内部への浸入抑制力を大きくできる。
【発明の効果】
【０００７】
請求項１記載の本発明は、ドア内部に車体前後方向に沿って配設されたインパクトビームの端部が車体側面視において車体のドア開口部の縁部と重なった車体側部構造において、インパクトビームの端部が車体上方と車体下方との何れか一方に屈曲しているため、側面衝突時のドアから車体側への衝撃伝達力及びドアの車室内部への浸入抑制力を大きくできるという優れた効果を有する。
【発明を実施するための最良の形態】
【０００８】
本発明における車体側部構造の一実施形態を図１〜図３に従って説明する。
【０００９】
なお、図中矢印ＦＲは車体前方方向を、矢印ＩＮは車幅内側方向を、矢印ＵＰは車体上方方向を示す。
【００１０】
図１に示される如く、自動車の車体１０の側部には、フロントドア開口部１２とリアドア開口部１４とが形成されている。フロントドア開口部１２にはフロントサイドドア１６が、ヒンジ１８によって開閉可能に取付けられており、リアドア開口部１４にはリアサイドドア２０が、ヒンジ２２によって開閉可能に取付けられている。また、フロントサイドドア１６の内部には、車体前後方向に沿ってインパクトビーム２６が配設されている。
【００１１】
図２に示される如く、インパクトビーム２６はパイプ材で構成されている。また、インパクトビーム２６の前端部２６Ａは車体前方へ直線状に延設されており、取付けブラケット３０にアーク溶接等によって固定されている。一方、インパクトビーム２６の後端部２６Ｂは、車体下方側に向かって直角に１回屈曲されており、ブラケット３２にアーク溶接等によって固定されている。
【００１２】
図３に示される如く、フロントサイドドア１６は、フロントサイドドア１６の車幅方向外側部を構成するドアアウタパネル３３と、フロントサイドドア１６の車幅方向内側部を構成するドアインナパネル３４とで構成されており、ドアインナパネル３４の後部には車幅方向外側へ凹んだ段部３４Ａが形成されている。
【００１３】
ドアインナパネル３４の段部３４Ａの車幅方向内側には、センタピラー３８が配設されており、センタピラー３８は、センタピラーアウタパネル４０とセンタピラーインナパネル４２とによって、車体上下方向に延びる閉断面部４４を形成している。なお、センタピラー３８の閉断面部４４はフロントドア開口部１２の後側の縁部を構成している。
【００１４】
ドアインナパネル３４の段部３４Ａの車幅方向外側面には、ブラケット３２の後部に形成されたフランジ３２Ａが溶接等によって固定されている。
【００１５】
従って、図１に示される如く、インパクトビーム２６の後端部２６Ｂとセンタピラー３８の閉断面部４４は、車体側面視において重なっている。
【００１６】
インパクトビーム２６の前端部２６Ａが固定されたブラケット３０は、ドアインナパネル３４の前部３４Ｂに溶着等によって固定されており、インパクトビーム２６の前端部２６Ａは、フロントドア開口部１２の前側の縁部を構成しているフロントピラー４６の後部４６Ａに車体側面視において重なっている。
【００１７】
次に、本実施形態の作用を説明する。
【００１８】
本実施形態では、側面衝突時に自動車の車体１０の側面に車幅方向外側方向（図３の矢印Ｆ方向）から荷重が作用した場合には、この荷重は車体下方に屈曲したインパクトビーム２６の後端部２６Ｂを介して、車体側面視においてインパクトビーム２６の後端部２６Ｂと重なるセンタピラー３８の閉断面部４４に伝達される。
【００１９】
この際、本実施形態では、インパクトビーム２６の後端部２６Ｂが車体下方に屈曲しているため、インパクトビーム２６の後端部２６Ｂをフロントサイドドア１６の車体後方側の部位と共に車体後方へ延設すること無く、長くすることができる。
【００２０】
この結果、車体側面視においてインパクトビーム２６の後端部２６Ｂとドア開口部の縁部としてのセンタピラー３８の閉断面部４４との重なり量が大きくなる。このため、側面衝突時のフロントサイドドア１６から車体１０側への衝撃伝達力及びフロントサイドドア１６の車室内部への浸入抑制力を大きくできる。
【００２１】
また、本実施形態は、インパクトビーム２６の後端部２６Ｂに１回の曲げ加工を行えば良い。この結果、製造が容易で且つ他部材の追加もないため、コストダウンが可能である。
【００２２】
また、本実施形態では、インパクトビーム２６の後端部２６Ｂを、車体下方側に向かって屈曲したため、インパクトビーム２６の後端部２６Ｂの車体下方側に衝突検知センサを配設した場合には、インパクトビーム２６の後端部２６Ｂと衝突検知センサとの距離が近づき、衝突検知時間を短くできる。
【００２３】
以上に於いては、本発明を特定の実施形態について詳細に説明したが、本発明は上記実施形態に限定されるものではなく、本発明の範囲内にて他の種々の実施形態が可能であることは当業者にとって明らかである。例えば、図４に示される如く、インパクトビーム２６の後端部２６Ｂを、車体上方側に向かって屈曲させた構成としても良い。また、図５に示される如く、インパクトビーム２６の前端部２６Ａと後端部２６Ｂの双方を車体下方側に向かって屈曲させた構成としても良い。また、図６に示される如く、インパクトビーム２６の前端部２６Ａと後端部２６Ｂの双方を車体上方側に向かって屈曲させた構成としても良い。更に、図７に示される如く、インパクトビーム２６の前端部２６Ａと後端部２６Ｂとを互いに車体上下方向の逆方向に向かって屈曲させた構成としても良い。
【００２４】
また、上記実施形態では、インパクトビーム２６の後端部２６Ｂを直角に屈曲したが、インパクトビーム２６の後端部２６Ｂの屈曲角度は直角に限定されず、他の屈曲角度としても良い。
【００２５】
また、上記実施形態では、インパクトビーム２６の後端部２６Ｂを１回のみ屈曲したが、インパクトビーム２６の後端部２６Ｂにおけるセンタピラー３８の閉断面部４４と重なる部位を長くするため、インパクトビーム２６の後端部２６Ｂを２回以上屈曲した構成としても良い。
【００２６】
また、上記実施形態では、インパクトビーム２６をパイプ材で構成したが、パイプ材に代えて他の部材でインパクトビーム２６を構成しても良い。
【００２７】
また、本発明の車体側部構造は、リアサイドドア２０やバックドア４７等の全てのドアに適用可能である。
【図面の簡単な説明】
【００２８】
【図１】本発明の一実施形態に係る車体側部構造が適用された車体を示す概略側面図である。
【図２】本発明の一実施形態に係る車体側部構造のインパクトビームを示す車体斜め前方内側から見た斜視図である。
【図３】図１の３−３線に沿った拡大断面図である。
【図４】本発明の他の実施形態に係る車体側部構造のインパクトビームを示す車体斜め前方内側から見た斜視図である。
【図５】本発明の他の実施形態に係る車体側部構造のインパクトビームを示す車体斜め前方内側から見た斜視図である。
【図６】本発明の他の実施形態に係る車体側部構造のインパクトビームを示す車体斜め前方内側から見た斜視図である。
【図７】本発明の他の実施形態に係る車体側部構造のインパクトビームを示す車体斜め前方内側から見た斜視図である。
【符号の説明】
【００２９】
１０    車体
１２    フロントドア開口部
１６    フロントサイドドア
２６    インパクトビーム
２６Ａ    インパクトビームの前端部
２６Ｂ    インパクトビームの後端部
３２    ブラケット
３４    ドアインナパネル
３８    センタピラー
４４    センタピラーの閉断面部
【図１】
2005162016.tif 000003
【図２】
2005162016.tif 000004
【図３】
2005162016.tif 000005
【図４】
2005162016.tif 000006
【図５】
2005162016.tif 000007
【図６】
2005162016.tif 000008
【図７】
2005162016.tif 000009